(57)【要約】  【課題】特定の方向（例えば、運転者の存在する方向や、助手席乗員の存在する方向）からは見え、特定の方向以外からは見えない画面（例えば、運転席用画面ＳＤＲや、助手席用画面ＳＰＡ）が複数、同じ表示部１８ａで同時に表示されている状況下であったとしても、不適切な操作制御が実施されないようにすることができる操作制御装置を提供すること。  【解決手段】これら複数の画面のうち、操作可能なものを多くても１つに限定し、操作可能な画面に対する操作が行われた場合、操作に応じた操作制御を行う操作制御手段と、助手席から見える助手席用映像ＧＰＡを映した助手席用画面ＳＰＡが操作可能な画面に設定されている時に、運転席から見える運転席用画面ＳＤＲに、助手席用画面ＳＰＡに対応する操作画像ＣＰＡを表示する操作補助手段とを装備する。  【選択図】図５
2006195460.tif 000002
【特許請求の範囲】
【請求項１】
特定の方向からは見え、該特定の方向以外からは見えない画面が複数、同じ表示装置で同時に表示されるマルチビューモニタ装置における操作制御を実施するための操作制御装置であって、
これら複数の画面のうち、操作可能な画面を限定する操作対象画面限定手段と、
操作が行われた場合、操作可能な画面に対する、前記操作に応じた操作制御を行う操作制御手段と、
所定の方向から見える第１の映像を映した第１の画面が操作可能な画面に設定されている場合に、前記所定の方向とは別の方向から見える第２の画面に、前記第１の画面に対応する操作画像を表示する操作補助手段とを備えていることを特徴とする操作制御装置。
【請求項２】
前記第２の画面に第２の映像が映っている時に、前記第１の画面が操作可能な画面に設定された場合、
前記操作補助手段が、前記第２の画面に、前記第２の映像と一緒に前記第１の画面に対応する操作画像を表示するものであることを特徴とする請求項１記載の操作制御装置。
【請求項３】
前記第２の画面に第２の映像が映っている時に、前記第１の画面が操作可能な画面に設定された場合、
前記操作補助手段が、前記第２の映像を消去し、前記第２の画面に、前記第１の画面に対応する操作画像を表示するものであることを特徴とする請求項１記載の操作制御装置。
【請求項４】
前記操作補助手段が、前記第２の画面に前記第１の映像を表示するものであることを特徴とする請求項３記載の操作制御装置。
【請求項５】
使用者が操作する操作環境、及び／又は前記第１の映像の種類に基づいて、前記第２の画面に表示する前記第１の映像の表示形態を決定する表示形態決定手段を備え、
前記操作補助手段が、前記表示形態決定手段により決定された表示形態で、前記第２の画面に前記第１の映像を表示するものであることを特徴とする請求項４記載の操作制御装置。
【請求項６】
前記操作補助手段が、前記第２の画面に前記第１の映像を表示しないものであることを特徴とする請求項３記載の操作制御装置。
【請求項７】
所定の復帰条件が成立すると、前記第２の画面の表示状態を前記第１の画面に対応する操作画像が表示される前の状態へ復帰させる表示状態復帰手段を備えていることを特徴とする請求項１〜６のいずれかの項に記載の操作制御装置。
【請求項８】
使用者から前記復帰を指示する操作が行われると、
前記表示状態復帰手段による状態の復帰が実施されるように構成されていることを特徴とする請求項７記載の操作制御装置。
【請求項９】
前記第１の画面に対する最後の操作から所定の時間が経過すると、
前記表示状態復帰手段による状態の復帰が実施されるように構成されていることを特徴とする請求項７又は請求項８記載の操作制御装置。
【請求項１０】
操作の補助を必要とする操作被補助画面を設定し得るように構成され、
前記第１の画面が前記操作被補助画面に設定されている場合のみ、前記操作補助手段による操作画像の表示が前記第２の画面で行われるように構成されていることを特徴とする請求項１〜９のいずれかの項に記載の操作制御装置。
【請求項１１】
操作の補助を行う操作補助画面を設定し得るように構成され、
前記操作補助手段が、前記第２の画面のうち前記操作補助画面が設定されている画面にのみ、前記第１の画面に対応する操作画像を表示するものであることを特徴とする請求項１〜１０のいずれかの項に記載の操作制御装置。
【請求項１２】
前記表示装置に同時に表示されているこれら複数の画面のうち、いずれか一つに操作優先画面が設定され、
該操作優先画面に設定されている画面は、前記操作優先画面に設定されていない画面よりも優先的に操作可能な画面に設定されるように構成されていることを特徴とする請求項１〜１１のいずれかの項に記載の操作制御装置。
【請求項１３】
前記表示装置へのこれら複数の画面の表示開始時、前記操作優先画面に設定されている画面を操作可能な画面に設定する表示開始時設定手段を備えていることを特徴とする請求項１２記載の操作制御装置。
【請求項１４】
前記操作優先画面に設定されていない画面が操作可能な画面に設定されている時に、当該画面に対する最後の操作から所定の時間が経過すると、
前記操作優先画面に設定されている画面を操作可能な画面に設定する時間経過設定手段を備えていることを特徴とする請求項１２又は請求項１３記載の操作制御装置。
【請求項１５】
表示される映像の種別に応じて、前記操作優先画面を設定する操作優先画面設定手段を備えていることを特徴とする請求項１２〜１４のいずれかの項に記載の操作制御装置。
【請求項１６】
各画面に対する操作頻度を推定する操作頻度推定手段と、
該操作頻度推定手段により推定された操作頻度に応じて、前記操作優先画面を設定する操作優先画面設定手段とを備えていることを特徴とする請求項１２〜１５のいずれかの項に記載の操作制御装置。
【請求項１７】
車両に搭載された電子機器に採用されるものであり、
前記車両への乗車状況に基づいて、前記操作優先画面を設定する操作優先画面設定手段を備えていることを特徴とする請求項１２〜１６のいずれかの項に記載の操作制御装置。
【請求項１８】
車両に搭載された電子機器に採用されるものであり、
前記車両の走行状態に基づいて、前記操作優先画面を設定する操作優先画面設定手段を備えていることを特徴とする請求項１２〜１７のいずれかの項に記載の操作制御装置。
【発明の詳細な説明】
【技術分野】
【０００１】
本発明は操作制御装置に関し、より詳細には、表示装置に表示された画面に対する適切な制御を実施するための操作制御装置に関する。
【背景技術】
【０００２】
車両走行中は、運転者がテレビや映画などを注視することは禁止されており、現在の表示装置では、車両走行中は、テレビや映画などが表示できないようになっている。このため、運転者以外の乗員（例えば、運転者の隣の助手席乗員）は、テレビや映画を見ることが禁止されていないにも拘らず、車両走行中はテレビや映画を見ることができない。
【０００３】
一方、近年、車両に搭載される表示装置において、運転者に対する表示内容と、運転者以外の乗員に対する表示内容とを異なるものにする技術について種々提案されている。例えば、下記の特許文献１には、図１４に示したように、透明カバー１に遮光帯２、３を設けて、運転席用映像ＧＤＲを表示する帯状表示部４から出射された光は運転者ＤＲの目に入るが、助手席用映像ＧＰＡを表示する帯状表示部５から出射された光は運転者ＤＲの目に入らないようにし、他方、助手席用映像ＧＰＡを表示する帯状表示部５から出射された光は助手席乗員ＰＡの目に入るが、運転席用映像ＧＤＲを表示する帯状表示部４から出射された光は助手席乗員ＰＡの目に入らないようにした技術について開示されている。
【０００４】
このような技術を採用することによって、図１５に示したように、ナビゲーション装置による地図映像７を、運転者ＤＲからは見えるように（助手席乗員ＰＡからは見えないように）表示装置６に表示し、ＤＶＤ映像８を助手席乗員ＰＡからは見えるように（運転者ＤＲからは見えないように）表示装置６に表示することができる。これによって、車両走行中であっても、助手席乗員ＰＡはテレビや映画などを見ることができる。
【０００５】
ところで、最近の表示装置ではタッチパネルが採用されており、表示画面上に操作スイッチが形成されるようになっている。そのため、運転者に対する表示内容と、運転者以外の乗員に対する表示内容とを異なるものにした場合、図１６に示したように、表示画面上にはそれぞれの表示内容に対する操作スイッチＢＤ１〜ＢＤ６、ＢＡ１〜ＢＡ６が表示されることが考えられる。
【０００６】
操作スイッチＢＤ１〜ＢＤ６は運転者ＤＲだけが見ることができ、操作スイッチＢＡ１〜ＢＡ６は助手席乗員ＰＡだけが見ることができるようになっているが、図１７に示したように、操作スイッチＢＤ１〜ＢＤ６は操作スイッチＢＡ１〜ＢＡ６それぞれと表示画面上では同じ場所Ｐ１ 〜Ｐ６ に配置される。そのため、例えば、表示画面上における場所Ｐ５ が押下された場合、操作スイッチＢＤ５『詳細』が押下された場合に行う制御（地図映像を詳細な表示にする制御）を実施すべきか、操作スイッチＢＡ５『停止』が押下された場合に行う制御（ＤＶＤ映像の再生を停止する制御）を実施すべきかを適切に判断する必要がある。換言すれば、この判断が適切にできないと、ユーザーが所望する適切な操作制御が実施されなくなる。なお、タッチパネル以外のスイッチ、例えば、表示パネルの周囲に配置された押釦スイッチなどにも上記と同様の課題がある。
【０００７】
また、運転席からは助手席用画像ＧＰＡを映した助手席用画面ＳＰＡが見えないので、助手席乗員ＰＡがどのような操作をしているのかを運転者ＤＲが知ろうと思えば、体を動かして、助手席の側から助手席用画面ＳＰＡを覗き込まなくてはならない。そのため、例えば、助手席乗員ＰＡが小さな子供や高齢者であったり、機械に苦手な人である場合に不便となる。
【特許文献１】特開２００３−１３７００５号公報
【発明の開示】
【課題を解決するための手段及びその効果】
【０００８】
本発明は上記課題に鑑みなされたものであって、特定の方向（例えば、運転者の存在する方向や、助手席乗員の存在する方向）からは見え、前記特定の方向以外からは見えない画面（例えば、運転席用画面や、助手席用画面）が複数、同じ表示装置で同時に表示されている状況下であったとしても、不適切な操作制御が実施されないようにすることができ、なおかつ利便性の高い操作制御装置を提供することを目的としている。
【０００９】
上記目的を達成するために本発明に係る操作制御装置（１）は、特定の方向からは見え、該特定の方向以外からは見えない画面が複数、同じ表示装置で同時に表示されるマルチビューモニタ装置における操作制御を実施するための操作制御装置であって、これら複数の画面のうち、操作可能な画面を限定する操作対象画面限定手段と、操作が行われた場合、操作可能な画面に対する、前記操作に応じた操作制御を行う操作制御手段と、所定の方向から見える第１の映像を映した第１の画面が操作可能な画面に設定されている場合に、前記所定の方向とは別の方向から見える第２の画面に、前記第１の画面に対応する操作画像を表示する操作補助手段とを備えていることを特徴としている。
【００１０】
上記操作制御装置（１）によれば、これら複数の画面（例えば、運転席用映像ＧＤＲを映した運転席用画面ＳＤＲ、及び助手席用映像ＧＰＡを映した助手席用画面ＳＰＡ）のうち、操作可能なものが限定されている。例えば、操作可能なものが多くても一つに限定されている。すなわち、どれか一つの画面だけ（例えば、運転席用画面ＳＤＲ、及び助手席用画面ＳＰＡのいずれか一方だけ）が操作可能になっている、又はどの画面も操作可能になっていない。
【００１１】
そのため、例えば、図１６に示したように操作スイッチが形成されていて、操作スイッチＢＤ１〜ＢＤ６、ＢＡ１〜ＢＡ６が操作されたとしても、運転席用画面ＳＤＲが操作可能な画面に設定されているときには、操作スイッチＢＤ１〜ＢＤ６に応じた操作制御が行われ、一方、助手席用画面ＳＰＡが操作可能な画面に設定されているときには、操作スイッチＢＡ１〜ＢＡ６に応じた操作制御が行われる。すなわち、操作可能でない画面に対する操作制御は行われない。なお、誤操作の可能性が比較的低いスイッチ類（例えば、映像と連動するタッチパネル以外の画面周囲に設けられた、図２に示したような操作スイッチ１５ａ〜１５ｈ）の全部又はその一部を常時操作可能とする構成の場合であっても、上記と同様の効果を発揮することができる。
【００１２】
さらに、上記操作制御装置（１）によれば、前記所定の方向（例えば、助手席）から見える第１の映像を映した第１の画面（例えば、ＤＶＤ映像を映した助手席用画面ＳＰＡ）が操作可能な画面に設定されている場合に、前記所定の方向とは別の方向（例えば、運転席）から見える第２の画面（例えば、運転席用画面ＳＤＲ）に、前記第１の画面に対応する操作画像（例えば、ＤＶＤ映像の早送り／巻戻しなどの操作をするための操作画像）が表示され、前記別の方向からでも前記第１の画面に対応する操作画像を見ることができるようになる。
【００１３】
例えば、助手席から見えるＤＶＤ映像を映した助手席用画面ＳＰＡが操作可能な画面に設定されると、図６（ａ）に示したように、運転席用画面ＳＤＲに助手席用画面ＳＰＡ（ＤＶＤ映像）に対応する操作画像ＣＰＡが表示される。これにより、運転者ＤＲは体を動かして、助手席の側から助手席用画面ＳＰＡを覗き込まなくても、ＤＶＤ映像に対する操作画像ＣＰＡを見ることができるので、助手席乗員ＰＡがどのような操作をしているのか監視することができる。また、運転者ＤＲが助手席乗員ＰＡの代わりに助手席用画面ＳＰＡ（ＤＶＤ映像）に対する操作を行うこともできる。これらは、助手席乗員ＰＡが小さな子供や高齢者であったり、機械に苦手な人である場合に特に有効となる。
【００１４】
なお、ここでは助手席から見えるＤＶＤ映像を映した助手席用画面ＳＰＡが操作可能な画面に設定され、運転席用画面ＳＤＲに助手席用画面ＳＰＡ（ＤＶＤ映像）に対応する操作画像ＣＰＡが表示される場合を例に挙げて説明しているが、本発明はこの場合に限定されるものではなく、例えば、運転席から見える地図映像を映した運転席用画面ＳＤＲが操作可能な画面に設定された場合に、図５（ｂ）に示したように、助手席用画面ＳＰＡに運転席用画面ＳＤＲ（地図映像）に対応する操作画像ＣＤＲを表示するものであっても良い。
【００１５】
また、ここでは運転席用画面ＳＤＲ及び助手席用画面ＳＰＡが同じ表示装置に同時に表示される場合のように、２つの画面が表示される場合を例に挙げて説明しているが、本発明はこの場合に限定されるものではなく、例えば、運転席用画面ＳＤＲ、助手席用画面ＳＰＡ、及び中央席用画面ＳＣＥの３つ以上の画面が同時に表示される場合であっても良い。
【００１６】
また、本発明に係る操作制御装置（２）は、上記操作制御装置（１）において、前記第２の画面に第２の映像が映っている時に、前記第１の画面が操作可能な画面に設定された場合、前記操作補助手段が、前記第２の画面に、前記第２の映像と一緒に前記第１の画面に対応する操作画像を表示するものであることを特徴としている。
【００１７】
上記操作制御装置（２）によれば、前記所定の方向（例えば、助手席）から見える第１の映像を映した第１の画面（例えば、ＤＶＤ映像を映した助手席用画面ＳＰＡ）が操作可能な画面に設定されると、図５（ａ）に示したように、前記所定の方向とは別の方向（例えば、運転席）から見える第２の画面（例えば、運転席用画面ＳＤＲ）に、前記第２の映像（例えば、地図映像）と一緒に前記第１の画面に対応する操作画像ＣＰＡ（例えば、ＤＶＤ映像の早送り／巻戻しなどの操作をするための操作画像）が表示される。
【００１８】
そのため、例えば、助手席乗員ＰＡの操作補助のために、助手席用画面ＳＰＡ（ＤＶＤ映像）に対応する操作画像ＣＰＡが運転席用画面ＳＤＲに表示されたとしても、運転者ＤＲが本来見たい地図映像は消去されずにそのまま残るため、運転者ＤＲは必要な情報を途切れることなく取得することができる。
【００１９】
また、本発明に係る操作制御装置（３）は、上記操作制御装置（１）において、前記第２の画面に第２の映像が映っている時に、前記第１の画面が操作可能な画面に設定された場合、前記操作補助手段が、前記第２の映像を消去し、前記第２の画面に、前記第１の画面に対応する操作画像を表示するものであることを特徴としている。
【００２０】
上記操作制御装置（３）によれば、前記所定の方向（例えば、助手席）から見える第１の映像を映した第１の画面（例えば、ＤＶＤ映像を映した助手席用画面ＳＰＡ）が操作可能な画面に設定されると、図９（ａ）に示したように、前記第２の映像（例えば、地図映像）が消去されて、前記所定の方向とは別の方向（例えば、運転席）から見える第２の画面（例えば、運転席用画面ＳＤＲ）に、前記第１の画面に対応する操作画像ＣＰＡ（例えば、ＤＶＤ映像の早送り／巻戻しなどの操作をするための操作画像）が表示される。
【００２１】
そのため、例えば、助手席乗員ＰＡの操作補助のために、助手席用画面ＳＰＡ（ＤＶＤ映像）に対応する操作画像ＣＰＡが運転席用画面ＳＤＲに表示された場合、運転者ＤＲが本来見たい地図映像は消去されることになる。これにより、助手席用画面ＳＰＡに対する操作が必要となる場合、その操作に関係のない余計な映像は消去されるので、運転者ＤＲは助手席乗員ＰＡによる操作の監視などがし易くなる。
【００２２】
また、本発明に係る操作制御装置（４）は、上記操作制御装置（３）において、前記操作補助手段が、前記第２の画面に前記第１の映像を表示するものであることを特徴としている。
【００２３】
上記操作制御装置（４）によれば、前記第２の画面に、前記第１の画面に対応する操作画像だけでなく、前記第１の映像（例えば、ＤＶＤ映像）が表示される。
そのため、例えば、助手席乗員ＰＡの操作補助のために、助手席用画面ＳＰＡ（ＤＶＤ映像）に対応する操作画像が運転席用画面ＳＤＲに表示された場合、運転者ＤＲが本来見たい地図映像は消去され、その代わりにＤＶＤ映像が表示されることになる。これにより、助手席用画面ＳＰＡに対する操作が必要となる場合、その操作に関係のある映像が表示されるので、例えば、ＤＶＤ映像の特定画面を表示する操作等で、運転者ＤＲは助手席乗員ＰＡによる操作補助などをより適切に行うことができる。
【００２４】
また、本発明に係る操作制御装置（５）は、上記操作制御装置（４）において、使用者が操作する操作環境、及び／又は前記第１の映像の種類に基づいて、前記第２の画面に表示する前記第１の映像の表示形態を決定する表示形態決定手段を備え、前記操作補助手段が、前記表示形態決定手段により決定された表示形態で、前記第２の画面に前記第１の映像を表示するものであることを特徴としている。
【００２５】
上記操作制御装置（５）によれば、使用者が操作する操作環境（例えば、運転席／助手席、走行中／停止中）、及び／又は前記第１の映像の種類に基づいて、前記第２の画面に表示する前記第１の映像の表示形態が決定され、その決定された表示形態で、前記第２の画面に前記第１の映像が表示される。これにより、利便性と安全性とのバランスのとれたものにすることができる。
【００２６】
表示形態の決定方法としては、例えば、下記のａ、ｂが挙げられる。
（ａ）第２の画面を見る者が運転者ＤＲである場合
（ｉ）車両が走行中であるとき
（１）第１の映像（例えば、ＤＶＤ映像）を第２の画面（運転席用画面ＳＤＲ）に表示しない。
（２−１）第１の映像がＤＶＤ映像やＴＶ映像のような動画である場合、第１の映像を第２の画面（運転席用画面ＳＤＲ）に表示しない、又は静止画を表示する。
（２−２）第１の映像が動画でない場合、第１の映像を第２の画面（運転席用画面ＳＤＲ）に表示する。
（ii）車両が停止しているとき
（１）映像の種類に関係なく、第１の映像を第２の画面（運転席用画面ＳＤＲ）に表示する。
（ｂ）第２の画面を見る者が助手席乗員ＰＡである場合
車両の走行状態や映像の種類に関係なく、第１の映像（例えば、地図映像）を第２の画面（ここでは助手席用画面ＳＰＡ）に表示する。
【００２７】
また、本発明に係る操作制御装置（６）は、上記操作制御装置（３）において、前記操作補助手段が、前記第２の画面に前記第１の映像を表示しないものであることを特徴としている。
【００２８】
上記操作制御装置（６）によれば、前記第２の画面に、前記第１の画面に対応する操作画像は表示されるが、前記第１の映像（例えば、ＤＶＤ映像）は表示されない。
そのため、例えば、助手席乗員ＰＡの操作補助のために、助手席用画面ＳＰＡ（ＤＶＤ映像）に対応する操作画像が運転席用画面ＳＤＲに表示されたとしても、ＤＶＤ映像のような動画が表示されることはないので、安全性を高めることができる。
【００２９】
また、本発明に係る操作制御装置（７）は、上記操作制御装置（１）〜（６）のいずれかにおいて、所定の復帰条件が成立すると、前記第２の画面の表示状態を前記第１の画面に対応する操作画像が表示される前の状態へ復帰させる表示状態復帰手段を備えていることを特徴としている。
【００３０】
上記操作制御装置（７）によれば、前記所定の復帰条件が成立すると、前記第２の画面の表示状態が前記第１の画面に対応する操作画像が表示される前の状態へ戻される。例えば、運転席用画面ＳＤＲ（第２の画面）から助手席用画面ＳＰＡ（第１の画面）に対応する操作画像が消去され、図４に示したように、通常の複数の画面が表示された状態へ戻される。これにより、運転者ＤＲは本来見たい映像（例えば、地図映像）を再び鮮明に見ることができるようになる。
【００３１】
また、本発明に係る操作制御装置（８）は、上記操作制御装置（７）において、使用者から前記復帰を指示する操作が行われると、前記表示状態復帰手段による状態の復帰が実施されるように構成されている。
上記操作制御装置（８）によれば、使用者の望むタイミングで、通常の複数の画面が表示された状態へ戻すことができる。
【００３２】
また、本発明に係る操作制御装置（９）は、上記操作制御装置（７）又は（８）において、前記第１の画面に対する最後の操作から所定の時間が経過すると、前記表示状態復帰手段による状態の復帰が実施されるように構成されていることを特徴としている。
上記操作制御装置（９）によれば、前記第１の画面に対する最後の操作から前記所定の時間（例えば、２０秒）が経過すると、通常の複数の画面が表示された状態へ戻される。前記第１の画面に対する最後の操作から前記所定の時間が経過した場合、前記第１の画面に対する操作を行う必要が無くなったと判断することができる。従って、適切なタイミングで通常の複数の画面が表示された状態へ戻すことができる。
【００３３】
また、本発明に係る操作制御装置（１０）は、上記操作制御装置（１）〜（９）のいずれかにおいて、操作の補助を必要とする操作被補助画面を設定し得るように構成され、前記第１の画面が前記操作被補助画面に設定されている場合のみ、前記操作補助手段による操作画像の表示が前記第２の画面で行われるように構成されていることを特徴としている。
【００３４】
上記操作制御装置（１０）によれば、前記所定の方向（例えば、助手席）から見える第１の映像を映した第１の画面（例えば、ＤＶＤ映像を映した助手席用画面ＳＰＡ）が操作可能な画面に設定されると、前記所定の方向とは別の方向（例えば、運転席）から見える第２の画面（例えば、運転席用画面ＳＤＲ）に、前記第１の画面に対応する操作画像（例えば、ＤＶＤ映像の早送り／巻戻しなどの操作をするための操作画像）が表示される。
【００３５】
但し、前記第１の画面が操作の補助を必要とする前記操作被補助画面（例えば、小さな子供や高齢者、機械に苦手な人が見ている画面）でない場合、前記第２の画面に、前記第１の画面に対応する操作画像は表示されない。すなわち、前記第２の画面に必要以上に余計な画面が表示されるのを防止することができる。
【００３６】
下記のａ、ｂを例に挙げて、より具体的に説明する。
（ａ）操作被補助画面に設定されている、ＤＶＤ映像を映した助手席用画面ＳＰＡが操作可能な画面に設定される場合
→運転席用画面ＳＤＲに助手席用画面ＳＰＡ（ＤＶＤ映像）の操作画像を表示する。
（ｂ）操作被補助画面に設定されていない、地図映像を映した運転席用画面ＳＤＲが操作可能な画面に設定される場合
→助手席用画面ＳＰＡに運転席用画面ＳＤＲ（地図映像）の操作画像を表示しない。
【００３７】
また、本発明に係る操作制御装置（１１）は、上記操作制御装置（１）〜（１０）のいずれかにおいて、操作の補助を行う操作補助画面を設定し得るように構成され、前記操作補助手段が、前記第２の画面のうち前記操作補助画面が設定されている画面にのみ、前記第１の画面に対応する操作画像を表示するものであることを特徴としている。
【００３８】
上記操作制御装置（１１）によれば、前記所定の方向（例えば、助手席）から見える第１の映像を映した第１の画面（例えば、ＤＶＤ映像を映した助手席用画面ＳＰＡ）が操作可能な画面に設定されると、前記所定の方向とは別の方向（例えば、運転席）から見える第２の画面（例えば、運転席用画面ＳＤＲ）に、前記第１の画面に対応する操作画像（例えば、ＤＶＤ映像の早送り／巻戻しなどの操作をするための操作画像）が表示される。
【００３９】
但し、前記操作補助画面（例えば、運転者が見ている画面、機械操作に得意な人が見ている画面）に設定されていない画面（例えば、小さな子供や高齢者が見ている画面、機械に苦手な人が見ている画面）には、前記第１の画面に対応する操作画像は表示されない。すなわち、前記第２の画面に必要もないのに余計な画面が表示されるのを防止することができる。
【００４０】
下記のａ、ｂを例に挙げて、より具体的に説明する。
（ａ）ＤＶＤ映像を映した助手席用画面ＳＰＡが操作可能な画面に設定される場合
→操作補助画面に設定されている運転席用画面ＳＤＲに助手席用画面ＳＰＡ（ＤＶＤ映像）の操作画像を表示する。
（ｂ）地図映像を映した運転席用画面ＳＤＲが操作可能な画面に設定される場合
→操作補助画面に設定されていない助手席用画面ＳＰＡに運転席用画面ＳＤＲ（地図映像）の操作画像を表示しない。
【００４１】
また、本発明に係る操作制御装置（１２）は、上記操作制御装置（１）〜（１１）のいずれかにおいて、前記表示装置に同時に表示されているこれら複数の画面のうち、いずれか一つに操作優先画面が設定され、該操作優先画面に設定されている画面は、前記操作優先画面に設定されていない画面よりも優先的に操作可能な画面に設定されるように構成されていることを特徴としている。
【００４２】
上記操作制御装置（１２）によれば、前記操作優先画面に設定されている画面がその他の画面よりも優先的に操作可能な画面に設定される。従って、例えば、通常時において、運転席用画面ＳＤＲを操作可能な画面に設定しておくことができ、操作可能な画面の切替操作など運転者ＤＲの操作負担を軽減することができる。
【００４３】
また、本発明に係る操作制御装置（１３）は、上記操作制御装置（１２）において、前記表示装置へのこれら複数の画面の表示開始時、前記操作優先画面に設定されている画面を操作可能な画面に設定する表示開始時設定手段を備えていることを特徴としている。
上記操作制御装置（１３）によれば、複数の画面の表示開始時から、前記操作優先画面に設定されている画面を操作可能な画面に設定することができる。これにより、表示開始時から使用者による操作負担を軽減することができる。
【００４４】
また、本発明に係る操作制御装置（１４）は、上記操作制御装置（１２）又は（１３）において、前記操作優先画面に設定されていない画面が操作可能な画面に設定されている時に、当該画面に対する最後の操作から所定の時間が経過すると、前記操作優先画面に設定されている画面を操作可能な画面に設定する時間経過設定手段を備えていることを特徴としている。
【００４５】
上記操作制御装置（１４）によれば、前記操作優先画面に設定されていない画面に対する最後の操作から前記所定の時間（例えば、２０秒）が経過すると、前記操作優先画面に設定されている画面が操作可能な画面に設定される。これにより、前記操作優先画面に設定されている画面を自動的に操作可能な画面に設定することができる。
【００４６】
また、本発明に係る操作制御装置（１５）は、上記操作制御装置（１２）〜（１４）のいずれかにおいて、表示される映像の種別に応じて、前記操作優先画面を設定する操作優先画面設定手段を備えていることを特徴としている。
【００４７】
上記操作制御装置（１５）によれば、表示される映像の種別に応じて、前記操作優先画面が設定される。例えば、運転席用画面ＳＤＲに車両を目的地まで誘導してくれる（ナビゲーションシステムの）地図映像が表示され、助手席用画面ＳＰＡに映画が表示されている場合、操作頻度が比較的高い地図映像を映した運転席用画面ＳＤＲが前記操作優先画面に設定される。これにより、利便性を高めることができる。
【００４８】
また、本発明に係る操作制御装置（１６）は、上記操作制御装置（１２）〜（１５）のいずれかにおいて、各画面に対する操作頻度を推定する操作頻度推定手段と、該操作頻度推定手段により推定された操作頻度に応じて、前記操作優先画面を設定する操作優先画面設定手段とを備えていることを特徴としている。
【００４９】
各画面に対する操作頻度は、映している映像やその時々の状況によって変化する。例えば、車両を目的地まで誘導してくれるナビゲーションシステムの地図映像を映した画面の場合、エンジンがＯＮされてから目的地の設定が完了するまでは、操作頻度は高くなるが、目的地の設定が完了し、実際に案内が開始されてからは、操作頻度は低くなる。また、映画を映した画面についても同じようなことが言える。
【００５０】
上記操作制御装置（１６）によれば、各画面に対する操作頻度が各種条件により推定され、推定された操作頻度に応じて、前記操作優先画面が設定される。例えば、目的地の案内が開始されるまで（又はエンジンＯＮ後、所定の時間が経過するまでの間）、地図映像を映した画面が前記操作優先画面に設定され、目的地の案内が開始されてからは（又はエンジンＯＮ後、前記所定の時間が経過してからは）、別の映像を映した画面が前記操作優先画面に設定される。これにより、利便性をより一層高めることができる。
【００５１】
また、本発明に係る操作制御装置（１７）は、上記操作制御装置（１２）〜（１６）のいずれかにおいて、車両に搭載された電子機器に採用されるものであり、前記車両への乗車状況に基づいて、前記操作優先画面を設定する操作優先画面設定手段を備えていることを特徴としている。
【００５２】
上記操作制御装置（１７）によれば、前記車両への乗車状況に基づいて、前記操作優先画面が設定される。例えば、運転者ＤＲが乗車していない場合、助手席用画面ＳＰＡが前記操作優先画面に設定され、一方、助手席乗員ＰＡが乗車していない場合、運転席用画面ＳＤＲが前記操作優先画面に設定される。これにより、使用者の満足度を高めることができる。なお、前記車両への乗車状況については、例えば、前記車両内に設けられた乗員検知センサから得られる情報に基づいて判断することができる。
【００５３】
また、本発明に係る操作制御装置（１８）は、上記操作制御装置（１２）〜（１７）のいずれかにおいて、車両に搭載された電子機器に採用されるものであり、前記車両の走行状態に基づいて、前記操作優先画面を設定する操作優先画面設定手段を備えていることを特徴としている。
【００５４】
上記操作制御装置（１８）によれば、前記車両の走行状態に基づいて、前記操作優先画面が設定される。例えば、前記車両が停止している場合、運転席用画面ＳＤＲが前記操作優先画面に設定され、一方、前記車両が走行している場合、助手席用画面ＳＰＡが前記操作優先画面に設定される。これにより、車両走行の安全性を高めたり、使用者の満足度を高めることができる。
【発明を実施するための最良の形態】
【００５５】
以下、本発明に係る操作制御装置の実施の形態を図面に基づいて説明する。図１は、実施の形態（１）に係る操作制御装置が採用されたＡＶ（オーディオ・ビジュアル）・ナビゲーションシステムの要部を概略的に示したブロック図である。図中１１はＡＶ・ナビゲーションシステム全体を統括するコントロール部を示しており、コントロール部１１は図示しないＣＰＵや、ＲＯＭ、ＲＡＭなどを含んで構成されている。
【００５６】
コントロール部１１には各種電子機器（例えば、ナビゲーション装置１２、ＤＶＤ再生装置１３、ＴＶ受信装置１４）と、上記の各種電子機器に対して操作指令を与える各種操作スイッチを備えた操作部１５と、スピーカ１６と、間引部１７ａ、１７ｂ及び混合部１７ｃを有した描画回路１７と、車両のインストルメントパネル中央部に搭載される表示装置１８とが接続されている。図２に、表示装置１８の外観正面図を示す。
【００５７】
表示装置１８はタッチパネルが採用された表示部１８ａと、上記の各種電子機器に対して操作指令を与える各種操作スイッチ１５ａ〜１５ｈと、後で詳しく説明する助手席切替スイッチ（Ｐ）１５ｉ、分離表示解除スイッチ（分離解除）１５ｊ、及び運転席切替スイッチ（Ｄ）１５ｋとを含んで構成されている。また、表示装置１８は、図１４に示した遮光帯２、３や、帯状表示部４、５などを含んで構成され、１つの表示部１８ａを用いて、運転席用映像ＧＤＲと助手席用映像ＧＰＡとを分離して表示し、運転者ＤＲには運転席用映像ＧＤＲを視認させ、助手席乗員ＰＡには助手席用映像ＧＰＡを視認させることができるようになっている。
【００５８】
描画回路１７には表示装置１８への画面表示に使用する画像データを記憶する画像メモリ１９と、表示装置１８とが接続され、描画回路１７はコントロール部１１からの命令に基づいて、画像メモリ１９から画像データを読み出し、読み出した画像データに画像処理を施して表示装置１８へ出力するようになっている。
【００５９】
また、描画回路１７はナビゲーション装置１２からの地図映像データや、ＤＶＤ再生装置１３からのＤＶＤ映像データ、ＴＶ受信装置１４からのＴＶ映像データを受信することができるようになっている。また、ナビゲーション装置１２、ＤＶＤ再生装置１３、ＴＶ受信装置１４これら各種電子機器は最大で２つまで同時に映像出力可能になっており、描画回路１７へは最大で２種類の映像データを同時に送信されるようになっている。
描画回路１７は２種類の映像データを同時に受信すると、間引部１７ａで２種類の映像データに対して間引き処理を行い、一方の映像は、帯状表示部４で表示し、残りの映像は、帯状表示部５で表示するようになっている。
【００６０】
コントロール部１１はナビゲーション装置１２やＤＶＤ再生装置１３、ＴＶ受信装置１４から操作スイッチの表示指示を受信すると、操作画像データを作成し、作成した操作画像データを描画回路１７へ送信するようになっている。また、ナビゲーション装置１２、ＤＶＤ再生装置１３、ＴＶ受信装置１４これら各種電子機器は最大で２つまで同時に操作可能になっており、コントロール部１１へは最大で２種類の操作スイッチの表示指示が送信されるようになっている。
【００６１】
描画回路１７はコントロール部１１から操作画像データを受信し、なおかつ２つの画面に分割する指示を受けると、映像データを受信した場合と同様に、間引部１７ｂで操作画像データに対して間引き処理を行い、帯状表示部４、５それぞれで同様の操作画像を表示するようになっている。
【００６２】
ナビゲーション装置１２などからの映像データと、コントロール部１１からの操作画像データとは混合部１７ｃで重ね合わされて、例えば、図５（ａ）に示したように、運転席用映像ＧＤＲ（地図映像）を背景に操作画像ＣＤＲ（操作スイッチＢＤ１〜ＢＤ６で構成されている）が載っている映像が表示されるようになっている。
【００６３】
また、コントロール部１１は、表示装置１８の表示部１８ａに形成されたタッチスイッチ（図示せず）や操作スイッチ１５ａ〜１５ｈなどを介して入力された操作指令に関するデータを各種電子機器（ナビゲーション装置１２、ＤＶＤ再生装置１３、ＴＶ受信装置１４）へ送信したり、これに応答して各種電子機器から送られてくるデータに基づいて、各種電子機器の動作状態や操作状況などを示した情報を表示装置１８に表示させることができるようになっている。また、ナビゲーション装置１２、ＤＶＤ再生装置１３、ＴＶ受信装置１４から出力された音声信号は、コントロール部１１を介して、アンプ（図示せず）で増幅されて、スピーカ１６へ供給されるようになっている。
【００６４】
実施の形態（１）に係る操作制御装置が採用されたＡＶ・ナビゲーションシステムにおけるコントロール部１１の行う処理動作［１−１］を図３に示したフローチャートに基づいて説明する。なお、この処理動作［１−１］は、運転者ＤＲには運転席用画面ＳＤＲを視認させ、助手席乗員ＰＡには助手席用画面ＳＰＡを視認させるための分離表示が、表示装置１８の表示部１８ａに形成されたタッチスイッチや操作部１５などが操作されることによって使用者から指示された場合に行われる動作である。
【００６５】
分離表示が指示されると、まず、所定の条件に基づいて、２つの映像のうちの一方を運転席用映像ＧＤＲとして表示し、残りを助手席用映像ＧＰＡとして表示し（ステップＳ１）、その後、分離表示が行われていることを示すための分離表示フラグｆＳＥを「１」に設定する（ステップＳ２）。なお、分離表示の仕方としては、例えば、目的地まで誘導するための地図映像が表示されている場合は、その地図映像を運転席用映像ＧＤＲにし、ＤＶＤ映像やテレビ映像を助手席用映像ＧＰＡにするといった方法が挙げられる。
【００６６】
次に、ステップＳ３へ進んで、運転席用画面ＳＤＲが操作可能／不可能な画面であることを示すための運転席用画面フラグｆＤＲを「０」（不可能）に設定すると共に、助手用画面ＳＰＡが操作可能／不可能な画面であることを示すための助手席用画面フラグｆＰＡを「０」（不可能）に設定する。これにより、この時点では運転席用画面ＳＤＲ、助手席用画面ＳＰＡのいずれも操作不可能な画面になっている。図４に、このときに表示装置１８の表示部１８ａに表示される一例を示す。（ａ）は運転席用画面ＳＤＲを示した図であり、（ｂ）は助手席用画面ＳＰＡを示した図である。
【００６７】
なお、運転席用画面ＳＤＲが操作可能な画面である場合は、図５に示したように、運転席用画面ＳＤＲ、助手席用画面ＳＰＡのいずれにも運転席用画面ＳＤＲ（運転席用映像ＧＤＲ）に対応する操作画像ＣＤＲが表示されるようになっている。一方、助手席用画面ＳＰＡが操作可能な画面である場合は、図６に示したように、運転席用画面ＳＤＲ、助手席用画面ＳＰＡのいずれにも助手席用画面ＳＰＡ（助手席用映像ＧＰＡ）に対応する操作画像ＣＰＡが表示されるようになっている。
【００６８】
また、ここでは単純に運転席用映像ＧＤＲ、助手席用映像ＧＰＡに操作画像ＣＤＲ、ＣＰＡを重ねて表示する場合を例に挙げているが、操作画像の表示形態はこれに限定されず、別の実施の形態では、図７に示したように、例えば、運転席用映像ＧＤＲ、助手席用映像ＧＰＡを縮小させて、その周囲に操作画像ＣＰＡを表示するようにしても良い。
【００６９】
次に、実施の形態（１）に係る操作制御装置が採用されたＡＶ・ナビゲーションシステムにおけるコントロール部１１の行う処理動作［１−２］を図８−１〜図８−４に示したフローチャートに基づいて説明する。なお、この処理動作［１−２］は、前記分離表示が行われているとき（すなわち、分離表示フラグｆＳＥが「１」のとき）に、使用者によって表示装置１８に形成されたタッチスイッチや操作部１５などが操作された場合に行われる動作である。
【００７０】
まず、操作可能な画面を助手席用画面ＳＰＡへ切り替えるために使用する助手席切替スイッチ１５ｉが操作されたか否かを判断し（ステップＳ１１）、助手席切替スイッチ１５ｉが操作されたと判断すれば、次に、運転席用画面フラグｆＤＲが「１」であるか否かを判断する（ステップＳ１２）。
【００７１】
運転席用画面フラグｆＤＲが「１」である（すなわち、運転席用画面ＳＤＲが操作可能な画面に設定されている）と判断すれば（図５参照）、次に、操作可能な画面を助手席用画面ＳＰＡへ切り替えるために、まず、運転席用画面フラグｆＤＲを「０」に戻し（ステップＳ１３）、表示部１８ａから操作画像ＣＤＲを消去し（ステップＳ１４）、運転席用画面ＳＤＲに対する操作が行われない時間（すなわち、最後の操作からの時間）を測定するためのタイマｔＤＲを停止させる（ステップＳ１５）。
【００７２】
次に、助手席用画面ＳＰＡ（に映っている助手席用映像ＧＰＡ）に対応する操作画像データを作成し（ステップＳ１６）、作成した操作画像データを描画回路１７へ送信すると共に、描画回路１７に対してタッチスイッチの役割を果たす操作画像ＣＰＡを運転席用画面ＳＤＲ、助手席用画面ＳＰＡの両画面に表示するように指示を出す（ステップＳ１７：図６参照）。その後、助手席用画面フラグｆＰＡを「１」に設定し（ステップＳ１８）、助手席用画面ＳＰＡに対する操作が行われない時間（すなわち、最後の操作からの時間）を測定するためのタイマｔＰＡを０にして起動させる（ステップＳ１９）。
【００７３】
一方、ステップＳ１２において、運転席用画面フラグｆＤＲが「１」でない（すなわち、運転席用画面ＳＤＲは操作可能な画面に設定されていない）と判断すれば、次に、助手席用画面フラグｆＰＡが「１」であるか否かを判断する（ステップＳ２０）。助手席用画面フラグｆＰＡが「１」でない（すなわち、助手席用画面ＳＰＡは操作可能な画面に設定されていない）と判断すれば（図４参照）、ステップＳ１６へ進んで、助手席用画面ＳＰＡを操作可能な画面に設定するための処理を行う。
【００７４】
他方、ステップＳ２０において、助手席用画面フラグｆＰＡが「１」である（すなわち、助手席用画面ＳＰＡが操作可能な画面に設定されている）と判断すれば（図６参照）、ステップＳ１１で確認した助手席切替スイッチ１５ｉの操作は、助手席用画面ＳＰＡを操作不可能な画面へ戻す指示であると看做し、助手席用画面フラグｆＰＡを「０」に戻し（ステップＳ２１）、表示部１８ａから操作画像ＣＰＡを消去し（ステップＳ２２）、タイマｔＰＡを停止させる（ステップＳ２３）。
【００７５】
また、ステップＳ１１において、助手席切替スイッチ１５ｉは操作されていないと判断すれば、次に、ステップＳ３１（図８−２）へ進んで、操作可能な画面を運転席用画面ＳＤＲへ切り替えるために使用する運転席切替スイッチ１５ｋが操作されたか否かを判断し、運転席切替スイッチ１５ｋが操作されたと判断すれば、次に、助手席用画面フラグｆＰＡが「１」であるか否かを判断する（ステップＳ３２）。
【００７６】
助手席用画面フラグｆＰＡが「１」である（すなわち、助手席用画面ＳＰＡが操作可能な画面に設定されている）と判断すれば（図６参照）、次に、操作可能な画面を運転席用画面ＳＤＲへ切り替えるために、まず、助手席用画面フラグｆＰＡを「０」に戻し（ステップＳ３３）、表示部１８ａから操作画像ＣＰＡを消去し（ステップＳ３４）、タイマｔＰＡを停止させる（ステップＳ３５）。
【００７７】
次に、運転席用画面ＳＤＲ（に映っている運転席用映像ＧＤＲ）に対応する操作画像データを作成し（ステップＳ３６）、作成した操作画像データを描画回路１７へ送信すると共に、描画回路１７に対して操作画像ＣＤＲを運転席用画面ＳＤＲ、助手席用画面ＳＰＡの両画面に表示するように指示を出す（ステップＳ３７：図５参照）。その後、運転席用画面フラグｆＤＲを「１」に設定し（ステップＳ３８）、タイマｔＤＲを０にして起動させる（ステップＳ３９）。
【００７８】
一方、ステップＳ３２において、助手席用画面フラグｆＰＡが「１」でない（すなわち、助手席用画面ＳＰＡは操作可能な画面に設定されていない）と判断すれば、次に、運転席用画面フラグｆＤＲが「１」であるか否かを判断する（ステップＳ４０）。運転席用画面フラグｆＤＲが「１」でない（すなわち、運転席用画面ＳＤＲは操作可能な画面に設定されていない）と判断すれば（図４参照）、ステップＳ３６へ進んで、運転席用画面ＳＤＲを操作可能な画面に設定するための処理を行う。
【００７９】
他方、ステップＳ４０において、運転席用画面フラグｆＤＲが「１」である（すなわち、運転席用画面ＳＤＲが操作可能な画面に設定されている）と判断すれば（図５参照）、ステップＳ３１で確認した運転席切替スイッチ１５ｋの操作は、運転席用画面ＳＤＲを操作不可能な画面へ戻す指示であると看做し、運転席用画面フラグｆＤＲを「０」に戻し（ステップＳ４１）、表示部１８ａから操作画像ＣＤＲを消去し（ステップＳ４２）、タイマｔＤＲを停止させる（ステップＳ４３）。
【００８０】
また、ステップＳ３１において、運転席切替スイッチ１５ｋは操作されていないと判断すれば、次に、ステップＳ５１（図８−３）へ進んで、表示部１８ａに形成されたタッチスイッチが操作されたか否かを判断する。タッチスイッチが操作されたと判断すれば、次に、運転席用画面フラグｆＤＲが「１」であるか否かを判断する（ステップＳ５２）。
【００８１】
運転席用画面フラグｆＤＲが「１」である（すなわち、運転席用画面ＳＤＲが操作可能な画面に設定されている）と判断すれば、運転席用画面ＳＤＲに対する、前記操作に応じた操作制御を行い（ステップＳ５３）、その後、タイマｔＤＲを０に戻す（ステップＳ５４）。一方、運転席用画面フラグｆＤＲは「１」でないと判断すれば、次に、助手席用画面フラグｆＰＡが「１」であるか否かを判断する（ステップＳ５５）。
【００８２】
助手席用画面フラグｆＰＡが「１」である（すなわち、助手席用画面ＳＰＡが操作可能な画面に設定されている）と判断すれば、助手席用画面ＳＰＡに対する、前記操作に応じた操作制御を行い（ステップＳ５６）、その後、タイマｔＰＡを０に戻す（ステップＳ５７）。一方、助手席用画面フラグｆＰＡは「１」でないと判断すれば、前記操作を無効とし、そのまま処理動作［１−２］を終了する。
【００８３】
また、ステップＳ５１において、タッチスイッチは操作されていないと判断すれば、次に、分離表示解除スイッチ１５ｊが操作されたか否かを判断する（ステップＳ５８）。分離表示解除スイッチ１５ｊが操作されたと判断すれば、次に、助手席用画面フラグｆＰＡが「１」であるか否かを判断する（ステップＳ５９）。
【００８４】
助手席用画面フラグｆＰＡが「１」である（すなわち、助手席用画面ＳＰＡが操作可能な画面に設定されている）と判断すれば、次に、２つの画面のうち、助手席用画面ＳＰＡを残すために、運転席用画面ＳＤＲを消去し、助手席用画面ＳＰＡを全画面表示するように描画回路１７へ指示を出し（ステップＳ６０）、その後、助手席用画面フラグｆＰＡを「０」に戻し（ステップＳ６１）、タイマｔＰＡを停止させ（ステップＳ６２）、分離表示フラグｆＳＥを「０」に戻す（ステップＳ６３）。
【００８５】
一方、ステップＳ５９において、助手席用画面フラグｆＰＡは「１」でない（すなわち、助手席用画面ＳＰＡは操作可能な画面に設定されていない）と判断すれば、次に、２つの画面のうち、運転席用画面ＳＤＲを残すために、助手席用画面ＳＰＡを消去し、運転席用画面ＳＤＲを全画面表示するように描画回路１７へ指示を出し（ステップＳ６４）、その後、運転席用画面フラグｆＤＲを「０」に戻し（ステップＳ６５）、タイマｔＤＲを停止させ（ステップＳ６６）、その後、ステップＳ６３へ進んで、分離表示フラグｆＳＥを「０」に戻す。
【００８６】
また、ステップＳ５８において、分離表示解除スイッチ１５ｊは操作されていないと判断すれば、ステップＳ７１（図８−４）へ進んで、その他の操作に応じた従来通りの処理を行い、次に、タイマｔＤＲが所定の時間Ｔ（例えば、２０秒）以上であるか否かを判断する（ステップＳ７２）。なお、操作可能な画面に関係なく常時操作可能なスイッチが設けられている場合、当該スイッチ操作に対する処理は、通常のスイッチ操作処理としてステップＳ７１で実行される。
【００８７】
タイマｔＤＲが所定の時間Ｔ以上である（すなわち、運転席用映像ＧＤＲに対する最後の操作が行われてから２０秒経過している）と判断すれば、次に、運転席用画面ＳＤＲを操作不可能な画面に戻すために、運転席用画面フラグｆＤＲを「０」に戻し（ステップＳ７３）、表示部１８ａから操作画像ＣＤＲを消去し（ステップＳ７４）、タイマｔＤＲを停止させる（ステップＳ７５）。
【００８８】
一方、タイマｔＤＲは所定の時間Ｔ以上でないと判断すれば、次に、タイマｔＰＡが所定の時間Ｔ（例えば、２０秒）以上であるか否かを判断する（ステップＳ７６）。タイマｔＰＡが所定の時間Ｔ以上である（すなわち、助手席用映像ＧＰＡに対する最後の操作が行われてから２０秒経過している）と判断すれば、次に、助手席用画面ＳＰＡを操作不可能な画面に戻すために、助手席用画面フラグｆＰＡを「０」に戻し（ステップＳ７７）、表示部１８ａから操作画像ＣＰＡを消去し（ステップＳ７８）、タイマｔＰＡを停止させる（ステップＳ７９）。他方、タイマｔＰＡは所定の時間Ｔ以上でないと判断すれば、そのまま処理動作［１−２］を終了する。
【００８９】
上記実施の形態（１）に係る操作制御装置によれば、運転席用映像ＧＤＲを映した運転席用画面ＳＤＲ、及び助手席用映像ＧＰＡを映した助手席用画面ＳＰＡのうち、操作可能なものが多くても一つに限定されている。すなわち、運転席用画面ＳＤＲ、及び助手席用画面ＳＰＡのいずれか一方だけが操作可能になっている、又はいずれの画面も操作可能になっていない。操作可能でない画面に対する操作制御は行われないので、誤操作を防止することができる。
【００９０】
また、上記実施の形態（１）に係る操作制御装置によれば、助手席から見える助手席用映像ＧＰＡ（例えば、ＤＶＤ映像）を映した助手席用画面ＳＰＡが操作可能な画面に設定されている場合に、運転席から見える運転席用画面ＳＤＲに、助手席用画面ＳＰＡ（助手席用映像ＧＰＡ）に対応する操作画像ＣＰＡ（例えば、ＤＶＤ映像の早送り／巻戻しなどの操作をするための操作画像）が表示され（図６（ａ）参照）、運転席からでも操作画像ＣＰＡを見ることができるようになる。
【００９１】
また、これとは逆に、運転席から見える運転席用映像ＧＤＲ（例えば、地図映像）を映した運転席用画面ＳＤＲが操作可能な画面に設定されている場合に、助手席から見える助手席用画面ＳＰＡに、運転席用画面ＳＤＲ（運転席用映像ＧＤＲ）に対応する操作画像ＣＤＲが表示され（図５（ｂ）参照）、助手席からでも操作画像ＣＤＲを見ることができるようになる。
【００９２】
これにより、例えば、運転者ＤＲは体を動かして、助手席の側から助手席用画面ＳＰＡを覗き込まなくても、操作画像ＣＰＡを見ることができるので、助手席乗員ＰＡがどのような操作をしているのか監視することができる。また、運転者ＤＲが助手席乗員ＰＡの代わりに助手席用画面ＳＰＡ（助手席用映像ＧＰＡ）に対する操作を行うこともできる。これらは、助手席乗員ＰＡが小さな子供や高齢者であったり、機械に苦手な人である場合に特に有効となる。
【００９３】
なお、ここでは助手席切替スイッチ１５ｉや運転席切替スイッチ１５ｋの押下によって使用者に（操作可能な画面をいずれに設定すれば良いのかの）意思表示をさせるようにしているが、別の実施の形態では、スピーカ１６から音声にて質問を出力し、使用者の答えた内容や使用者から発せられた音声の方向などによって、操作可能な画面を決定するようにしても良い。
【００９４】
また、上記実施の形態（１）に係る操作制御装置では、異なる画面に対応する操作画像が同時に表示されるようになっていない。例えば、操作画像ＣＤＲと操作画像ＰＡとが表示部１８ａに同時に表示されるようになっていない。すなわち、操作画像データを同時に複数作成しなくて良い。
操作画像データを作成するにはそれ用の処理回路などが必要となり、同時に複数の操作画像データを作成する場合には独立した前記処理回路が必要となる。すなわち、複数の前記処理回路を装備しなくてはならず、コストアップになる。しかしながら、上記実施の形態（１）に係る操作制御装置では、操作画像データを同時に複数作成しなくて良いので、複数の前記処理回路を装備しなくて良く、コストアップを回避することができる。
【００９５】
また、上記実施の形態（１）に係る操作制御装置では、運転席用画面ＳＤＲに、助手席用画面ＳＰＡ（助手席用映像ＧＰＡ）に対応する操作画像ＣＰＡを運転席用映像ＧＤＲと一緒に表示したり（図６（ａ）参照）、助手席用画面ＳＰＡに、運転席用画面ＳＤＲ（運転席用映像ＧＤＲ）に対応する操作画像ＣＤＲを助手席用映像ＧＰＡと一緒に表示するようになっているが（図５（ｂ）参照）、別の実施の形態では、運転席用画面ＳＤＲから運転席用映像ＧＤＲを消去し、運転席用画面ＳＤＲに操作画像ＣＰＡだけを表示したり、助手席用画面ＳＰＡから助手席用映像ＧＰＡを消去し、助手席用画面ＳＰＡに操作画像ＣＤＲだけを表示するようにしても良い。図９にその表示の一例を示す。（ａ）は運転席用画面ＳＤＲを示した図であり、（ｂ）は助手席用画面ＳＰＡを示した図である。図中ＥＤＲはブルーバック（青色の背景）を示している。
【００９６】
また、さらに別の実施の形態では、運転席用画面ＳＤＲから運転席用映像ＧＤＲを消去し、運転席用映像ＧＤＲの代わりに助手席用映像ＧＰＡを表示したり、助手席用画面ＳＰＡから助手席用映像ＧＰＡを消去し、助手席用映像ＧＰＡの代わりに運転席用映像ＧＤＲを表示するようにしても良い。すなわち、相手方と同じ画面構成となる。
【００９７】
但し、相手方の映像を表示して効果を発揮する場合とそうでない場合とがあり、また、相手方の映像をそのまま表示して良い場合とそうでない場合とがあることが考えられる。例えば、走行中に運転席用画面ＳＤＲにＤＶＤ映像やＴＶ映像のような動画がそのまま表示されるのは安全面から好ましくない。従って、別の実施の形態では、使用者が操作する操作環境（例えば、運転席／助手席、走行中／停止中）や映像の種類に基づいて、運転席用画面ＳＤＲや助手席用画面ＳＰＡに表示する映像の表示形態を決定するようにしても良い。
【００９８】
表示形態の決定方法としては、例えば、下記のａ、ｂが挙げられる。
（ａ）助手席用画面ＳＰＡが操作可能な画面に設定された場合
（ｉ）車両が走行中であるとき
（１）助手席用映像ＧＰＡを運転席用画面ＳＤＲに表示しない。
（２−１）助手席用映像ＧＰＡがＤＶＤ映像やＴＶ映像のような動画である場合、運転席用画面ＳＤＲに助手席用映像ＧＰＡを表示しない、又は静止画を表示する。
【００９９】
（２−２）助手席用映像ＧＰＡが動画でない場合、運転席用画面ＳＤＲに助手席用映像ＧＰＡを表示する。
（ii）車両が停止しているとき
（１）映像の種類に関係なく、運転席用画面ＳＤＲに助手席用映像ＧＰＡを表示する。
（ｂ）運転席用画面ＳＤＲが操作可能な画面に設定された場合
車両の走行状態や映像の種類に関係なく、助手席用画面ＳＰＡに運転席用映像ＧＤＲ（例えば、地図映像）を表示する。
【０１００】
また、上記実施の形態（１）に係る操作制御装置では、運転席用画面ＳＤＲ、助手席用画面ＳＰＡのいずれが操作可能な画面に設定される場合にも、両画面に操作画像ＣＤＲ、ＣＰＡが表示され、互いに相手の操作を監視したり、代わりに操作ができるようにしているが、助手席乗員ＰＡが小さな子供や高齢者である場合、助手席乗員ＰＡに運転者ＤＲの操作を監視させる必要性はないと思われる。
【０１０１】
そこで、別の実施の形態では、操作の補助を必要とする操作被補助画面や、操作を補助する操作補助画面を設定し、操作画像ＣＤＲ、ＣＰＡの表示に制限を加味するようにしても良い。下記のａ〜ｄを例に挙げて、より具体的に説明する。
（ａ）操作被補助画面に設定されている助手席用画面ＳＰＡが操作可能な画面となる場合    →運転席用画面ＳＤＲに助手席用画面ＳＰＡ（助手席用映像ＧＰＡ）の操作画像ＣＰＡを表示する。
（ｂ）操作被補助画面に設定されていない運転席用画面ＳＤＲが操作可能な画面となる場合
→助手席用画面ＳＰＡに運転席用画面ＳＤＲ（運転席用映像ＧＤＲ）の操作画像ＣＤＲを表示しない。
（ｃ）助手席用画面ＳＰＡが操作可能な画面に設定される場合
→操作補助画面に設定されている運転席用画面ＳＤＲに助手席用画面ＳＰＡ（助手席用映像ＧＰＡ）の操作画像ＣＰＡを表示する。
（ｄ）運転席用画面ＳＤＲが操作可能な画面に設定される場合
→操作補助画面に設定されていない助手席用画面ＳＰＡに運転席用画面ＳＤＲ（運転席用映像ＧＤＲ）の操作画像ＣＤＲを表示しない。
【０１０２】
次に、実施の形態（２）に係る操作制御装置が採用されたＡＶ・ナビゲーションシステムについて説明する。但し、実施の形態（２）に係る操作制御装置が採用されたＡＶ・ナビゲーションシステムは、コントロール部１１、操作部１５、及び表示装置１８とを除き、図１に示したＡＶ・ナビゲーションシステムと同様の構成であるので、ここではコントロール部、操作部、及び表示装置については異なる符号を付し、その他の構成部分についての説明を省略する。
【０１０３】
図中１１ＡはＡＶ・ナビゲーションシステム全体を統括するコントロール部を示しており、コントロール部１１Ａは図示しないＣＰＵや、ＲＯＭ、ＲＡＭなどを含んで構成されている。コントロール部１１Ａには各種電子機器（例えば、ナビゲーション装置１２、ＤＶＤ再生装置１３、ＴＶ受信装置１４）と、操作部１５Ａと、スピーカ１６と、描画回路１７と、表示装置１８Ａとが接続されている。図１０に、表示装置１８Ａの外観正面図を示す。
【０１０４】
表示装置１８Ａはタッチパネルが採用された表示部１８ａと、上記の各種電子機器に対して操作指令を与える各種操作スイッチ１５ａ〜１５ｈと、助手席切替スイッチ（Ｐ）１５ｉ及び分離表示解除スイッチ（分離解除）１５ｊとを含んで構成されている。また、表示装置１８Ａは、図１４に示した遮光帯２、３や、帯状表示部４、５などを含んで構成され、１つの表示部１８ａを用いて、運転席用映像ＧＤＲと助手席用映像ＧＰＡとを分離して表示し、運転者ＤＲには運転席用映像ＧＤＲを視認させ、助手席乗員ＰＡには助手席用映像ＧＰＡを視認させることができるようになっている。
【０１０５】
実施の形態（２）に係る操作制御装置が採用されたＡＶ・ナビゲーションシステムにおけるコントロール部１１Ａの行う処理動作［２−１］を図１１に示したフローチャートに基づいて説明する。なお、この処理動作［２−１］は、運転者ＤＲには運転席用画面ＳＤＲを視認させ、助手席乗員ＰＡには助手席用画面ＳＰＡを視認させるための分離表示が、表示装置１８Ａの表示部１８ａに形成されたタッチスイッチや操作部１５Ａなどが操作されることによって使用者から指示された場合に行われる動作である。
【０１０６】
分離表示が指示されると、まず、所定の条件に基づいて、２つの映像のうちの一方を運転席用映像ＧＤＲとして表示し、残りを助手席用映像ＧＰＡとして表示し（ステップＳ８１）、その後、分離表示が行われていることを示すための分離表示フラグｆＳＥを「１」に設定する（ステップＳ８２）。なお、分離表示の仕方としては、例えば、目的地まで誘導するための地図映像が表示されている場合は、その地図映像を運転席用映像ＧＤＲにし、ＤＶＤ映像やテレビ映像を助手席用映像ＧＰＡにするといった方法が挙げられる。また、ここでは予め運転席用映像ＧＤＲを映した運転席用画面ＳＤＲが操作優先画面に設定されている。
【０１０７】
次に、操作優先画面に設定されている運転席用画面ＳＤＲ（に映っている運転席用映像ＧＤＲ）に対応する操作画像データを作成し（ステップＳ８３）、作成した操作画像データを描画回路１７へ送信すると共に、描画回路１７に対してタッチスイッチの役割を果たす操作画像ＣＤＲを運転席用画面ＳＤＲだけに表示するように指示を出し（ステップＳ８４）、その後、運転席用画面フラグｆＤＲを「１」に設定すると共に、助手席用画面フラグｆＰＡを「０」に設定する（ステップＳ８５、Ｓ８６）。これにより、この時点では運転席用画面ＳＤＲが操作可能な画面になっている。図１２に、このときに表示装置１８Ａの表示部１８ａに表示される一例を示す。（ａ）は運転席用画面ＳＤＲを示した図であり、（ｂ）は助手席用画面ＳＰＡを示した図である。
【０１０８】
次に、実施の形態（２）に係る操作制御装置が採用されたＡＶ・ナビゲーションシステムにおけるコントロール部１１Ａの行う処理動作［２−２］を図１３−１〜図１３−３に示したフローチャートに基づいて説明する。なお、この処理動作［２−２］は、前記分離表示が行われているとき（すなわち、分離表示フラグｆＳＥが「１」のとき）に、使用者によって表示装置１８Ａに形成されたタッチスイッチや操作部１５Ａなどが操作された場合に行われる動作である。
【０１０９】
まず、操作可能な画面を助手席用画面ＳＰＡへ切り替えるために使用する助手席切替スイッチ１５ｉが操作されたか否かを判断し（ステップＳ９１）、助手席切替スイッチ１５ｉが操作されたと判断すれば、次に、運転席用画面フラグｆＤＲが「１」であるか否かを判断する（ステップＳ９２）。
【０１１０】
運転席用画面フラグｆＤＲが「１」である（すなわち、運転席用画面ＳＤＲが操作可能な画面に設定されている）と判断すれば（図１２参照）、次に、操作可能な画面を助手席用画面ＳＰＡへ切り替えるために、まず、運転席用画面フラグｆＤＲを「０」に戻し（ステップＳ９３）、表示部１８ａから操作画像ＣＤＲを消去する（ステップＳ９４）。
【０１１１】
次に、助手席用画面ＳＰＡ（に映っている助手席用映像ＧＰＡ）に対応する操作画像データを作成し（ステップＳ９５）、作成した操作画像データを描画回路１７へ送信すると共に、描画回路１７に対して操作画像ＣＰＡを運転席用画面ＳＤＲ、助手席用画面ＳＰＡの両画面に表示するように指示を出す（ステップＳ９６：図６参照）。その後、助手席用画面フラグｆＰＡを「１」に設定し（ステップＳ９７）、タイマｔＰＡを０にして起動させる（ステップＳ９８）。
【０１１２】
一方、ステップＳ９２において、運転席用画面フラグｆＤＲが「１」でない（すなわち、運転席用画面ＳＤＲは操作可能な画面に設定されていない）と判断すれば、次に、助手席用画面フラグｆＰＡが「１」であるか否かを判断する（ステップＳ９９）。助手席用画面フラグｆＰＡが「１」である（すなわち、助手席用画面ＳＰＡが操作可能な画面に設定されている）と判断すれば（図６参照）、ステップＳ９１で確認した助手席切替スイッチ１５ｉの操作は、助手席用画面ＳＰＡを操作不可能な画面へ戻す指示であると看做し、助手席用画面フラグｆＰＡを「０」に戻し（ステップＳ１００）、表示部１８ａから操作画像ＣＰＡを消去し（ステップＳ１０１）、タイマｔＰＡを停止させる（ステップＳ１０２）。
【０１１３】
次に、運転席用画面ＳＤＲ（に映っている運転席用映像ＧＤＲ）に対応する操作画像データを作成し（ステップＳ１０３）、作成した操作画像データを描画回路１７へ送信すると共に、描画回路１７に対して操作画像ＣＤＲを運転席用画面ＳＤＲだけに表示するように指示を出し（ステップＳ１０４：図１２参照）、その後、運転席用画面フラグｆＤＲを「１」に設定する（ステップＳ１０５）。一方、ステップＳ９９において、助手席用画面フラグｆＰＡが「１」でないと判断した場合は、そのまま処理動作［２−２］を終了する。
【０１１４】
また、ステップＳ９１において、助手席切替スイッチ１５ｉは操作されていないと判断すれば、次に、ステップＳ１１１（図１３−２）へ進んで、表示部１８ａに形成されたタッチスイッチが操作されたか否かを判断する。タッチスイッチが操作されたと判断すれば、次に、運転席用画面フラグｆＤＲが「１」であるか否かを判断する（ステップＳ１１２）。
【０１１５】
運転席用画面フラグｆＤＲが「１」である（すなわち、運転席用画面ＳＤＲが操作可能な画面に設定されている）と判断すれば、運転席用画面ＳＤＲに対する、前記操作に応じた操作制御を行う（ステップＳ１１３）。一方、運転席用画面フラグｆＤＲは「１」でないと判断すれば、次に、助手席用画面フラグｆＰＡが「１」であるか否かを判断する（ステップＳ１１４）。
【０１１６】
助手席用画面フラグｆＰＡが「１」である（すなわち、助手席用画面ＳＰＡが操作可能な画面に設定されている）と判断すれば、助手席用画面ＳＰＡに対する、前記操作に応じた操作制御を行い（ステップＳ１１５）、その後、タイマｔＰＡを０に戻す（ステップＳ１１６）。一方、助手席用画面フラグｆＰＡは「１」でないと判断すれば、前記操作を無効とし、そのまま処理動作［２−２］を終了する。
【０１１７】
また、ステップＳ１１１において、タッチスイッチは操作されていないと判断すれば、次に、分離表示解除スイッチ１５ｊが操作されたか否かを判断する（ステップＳ１１７）。分離表示解除スイッチ１５ｊが操作されたと判断すれば、次に、運転席用画面フラグｆＤＲが「１」であるか否かを判断する（ステップＳ１１８）。
【０１１８】
運転席用画面フラグｆＤＲが「１」である（すなわち、運転席用画面ＳＤＲが操作可能な画面に設定されている）と判断すれば、次に、２つの画面のうち、運転席用画面ＳＤＲを残すために、助手席用画面ＳＰＡを消去し、運転席用画面ＳＤＲを全画面表示するように描画回路１７へ指示を出し（ステップＳ１１９）、その後、運転席用画面フラグｆＰＡを「０」に戻し（ステップＳ１２０）、分離表示フラグｆＳＥを「０」に戻す（ステップＳ１２１）。
【０１１９】
一方、ステップＳ１１８において、運転席用画面フラグｆＤＲは「１」でないと判断すれば、次に、２つの画面のうち、助手席用画面ＳＰＡを残すために、運転席用画面ＳＤＲを消去し、助手席用画面ＳＰＡを全画面表示するように描画回路１７へ指示を出し（ステップＳ１２２）、その後、助手席用画面フラグｆＰＡを「０」に戻し（ステップＳ１２３）、タイマｔＰＡを停止させ（ステップＳ１２４）、ステップＳ１２１へ進んで、分離表示フラグｆＳＥを「０」に戻す。
【０１２０】
また、ステップＳ１１７において、分離表示解除スイッチ１５ｊは操作されていないと判断すれば、ステップＳ１３１（図１３−３）へ進んで、その他の操作に応じた従来通りの処理を行い、次に、タイマｔＰＡが所定の時間Ｔ（例えば、２０秒）以上であるか否かを判断する（ステップＳ１３２）。なお、操作可能な画面に関係なく常時操作可能なスイッチが設けられている場合、当該スイッチ操作に対する処理は、通常のスイッチ操作処理としてステップＳ１３１で実行される。
【０１２１】
タイマｔＰＡが所定の時間Ｔ以上である（すなわち、助手席用映像ＧＰＡに対する最後の操作が行われてから２０秒経過している）と判断すれば、次に、助手席用画面ＳＰＡを操作不可能な画面に戻すために、助手席用画面フラグｆＰＡを「０」に戻し（ステップＳ１３３）、表示部１８ａから操作画像ＣＰＡを消去し（ステップＳ１３４）、タイマｔＰＡを停止させる（ステップＳ１３５）。他方、タイマｔＰＡは所定の時間Ｔ以上でないと判断すれば、そのまま処理動作［２−２］を終了する。
【０１２２】
次に、運転席用画面ＳＤＲ（に映っている運転席用映像ＧＤＲ）に対応する操作画像データを作成し（ステップＳ１３６）、作成した操作画像データを描画回路１７へ送信すると共に、描画回路１７に対して操作画像ＣＤＲを運転席用画面ＳＤＲだけに表示するように指示を出し（ステップＳ１３７：図１２参照）、その後、運転席用画面フラグｆＤＲを「１」に設定する（ステップＳ１３８）。
【０１２３】
上記実施の形態（２）に係る操作制御装置によれば、運転席用映像ＧＤＲを映した運転席用画面ＳＤＲ、及び助手席用映像ＧＰＡを映した助手席用画面ＳＰＡのうち、操作可能なものが多くても一つに限定されている。すなわち、運転席用画面ＳＤＲ、及び助手席用画面ＳＰＡのいずれか一方だけが操作可能になっている、又はいずれの画面も操作可能になっていない。操作可能でない画面に対する操作制御は行われないので、誤操作を防止することができる。
【０１２４】
また、上記実施の形態（２）に係る操作制御装置によれば、助手席から見える助手席用映像ＧＰＡ（例えば、ＤＶＤ映像）を映した助手席用画面ＳＰＡが操作可能な画面に設定されている場合、操作優先画面に設定されている運転席用画面ＳＤＲに、助手席用画面ＳＰＡ（助手席用映像ＧＰＡ）に対応する操作画像ＣＰＡ（例えば、ＤＶＤ映像の早送り／巻戻しなどの操作をするための操作画像）が表示され（図６参照）、運転席からでも助手席用映像ＧＰＡに対応する操作画像ＣＰＡを見ることができるようになる。
【０１２５】
これにより、運転者ＤＲは体を動かして、助手席の側から助手席用画面ＳＰＡを覗き込まなくても、操作画像ＣＰＡを見ることができるので、助手席乗員ＰＡがどのような操作をしているのか監視することができる。また、運転者ＤＲが助手席乗員ＰＡの代わりに助手席用画面ＳＰＡ（助手席用映像ＧＰＡ）に対する操作を行うこともできる。これらは、助手席乗員ＰＡが小さな子供や高齢者であったり、機械に苦手な人である場合に特に有効となる。
【０１２６】
また、これとは逆に、操作優先画面に設定されている運転席用画面ＳＤＲが操作可能な画面に設定されている場合には、操作優先画面に設定されていない助手席用画面ＳＰＡに、運転席用画面ＳＤＲ（運転席用映像ＧＤＲ）に対応する操作画像ＣＤＲは表示されない（図１２参照）。これにより、必要以上に余計な画像が表示されるのを防止することができる。
【０１２７】
また、上記実施の形態（２）に係る操作制御装置では、運転席用画面ＳＤＲが操作優先画面に設定されているが、本発明に係る操作制御装置は、運転席用画面ＳＤＲを操作優先画面に設定する場合に限定されるものではなく、助手席用画面ＳＰＡを操作優先画面に設定するものであっても良い。また、操作優先画面を使用者が自由に設定できるようにしても良い。
【０１２８】
また、操作優先画面はいずれか一つに固定しなくても良く、別の実施の形態では、表示されている映像の種類や、各画面に対する推定される操作頻度、車両への乗車状況、車両の走行状態に基づいて、操作優先画面を設定するようにしても良い。例えば、運転席用画面ＳＤＲに車両を目的地まで誘導してくれる（ナビゲーションシステムの）地図映像が表示され、助手席用画面ＳＰＡに映画が表示されている場合、操作頻度が比較的高い地図映像を映した運転席用画面ＳＤＲを前記操作優先画面に設定するようにしても良い。
【０１２９】
目的地の案内が開始されるまで（又はエンジンＯＮ後、所定の時間が経過するまでの間）、地図映像を映した画面を前記操作優先画面に設定し、目的地の案内が開始されてからは（又はエンジンＯＮ後、前記所定の時間が経過してからは）、別の映像を映した画面を前記操作優先画面に設定するようにしても良い。
【０１３０】
また、運転者ＤＲが乗車していない場合、助手席用画面ＳＰＡを操作優先画面に設定し、助手席乗員ＰＡが乗車していない場合、運転席用画面ＳＤＲを操作優先画面に設定し、また、車両が停止している場合、運転席用画面ＳＤＲを操作優先画面に設定し、車両が走行している場合、助手席用画面ＳＰＡを操作優先画面に設定するようにしても良い。これにより、利便性を高めたり、車両走行の安全性を高めたり、使用者の満足度を高めることができる。なお、車両への乗車状況については、例えば、前記車両内に設けられた乗員検知センサから得られる情報に基づいて判断することができ、車両の走行状態については、車速センサから得られる情報に基づいて判断することができる。
【０１３１】
また、上記実施の形態（２）に係る操作制御装置では、操作優先画面に設定されている運転席用画面ＳＤＲが操作可能な画面に設定されている場合には、操作優先画面に設定されていない助手席用画面ＳＰＡに、運転席用画面ＳＤＲ（運転席用映像ＧＤＲ）に対応する操作画像ＣＤＲは表示されないようになっているが、別の実施の形態に係る操作制御装置では、操作優先画面に設定されている画面（に映っている映像）に対応する操作画像を、操作優先画面に設定されていない画面に表示するようにしても良い。
【０１３２】
なお、上記実施の形態（１）又は（２）に係る操作制御装置では、運転席用画面ＳＤＲ及び助手席用画面ＳＰＡが表示装置１８に同時に表示される場合のように、２つの画面が表示される場合を例に挙げて説明しているが、本発明はこの場合に限定されるものではなく、例えば、運転席用画面ＳＤＲ、助手席用画面ＳＰＡ、及び中央席用画面ＳＣＥの３つ以上の画面が同時に表示される場合であっても良い。
【図面の簡単な説明】
【０１３３】
【図１】本発明の実施の形態（１）に係る操作制御装置が採用されたＡＶ・ナビゲーションシステムの要部を概略的に示したブロック図である。
【図２】実施の形態（１）に係る操作制御装置が採用されたＡＶ・ナビゲーションシステムにおける表示装置の外観正面図である。
【図３】実施の形態（１）に係る操作制御装置が採用されたＡＶ・ナビゲーションシステムにおけるコントロール部の行う処理動作を示したフローチャートである。
【図４】（ａ）、（ｂ）は表示装置を構成する表示部に表示される一例を示した図である。
【図５】（ａ）、（ｂ）は表示装置を構成する表示部に表示される一例を示した図である。
【図６】（ａ）、（ｂ）は表示装置を構成する表示部に表示される一例を示した図である。
【図７】（ａ）、（ｂ）は表示装置を構成する表示部に表示される一例を示した図である。
【図８−１】実施の形態（１）に係る操作制御装置が採用されたＡＶ・ナビゲーションシステムにおけるコントロール部の行う処理動作を示したフローチャートである。
【図８−２】実施の形態（１）に係る操作制御装置が採用されたＡＶ・ナビゲーションシステムにおけるコントロール部の行う処理動作を示したフローチャートである。
【図８−３】実施の形態（１）に係る操作制御装置が採用されたＡＶ・ナビゲーションシステムにおけるコントロール部の行う処理動作を示したフローチャートである。
【図８−４】実施の形態（１）に係る操作制御装置が採用されたＡＶ・ナビゲーションシステムにおけるコントロール部の行う処理動作を示したフローチャートである。
【図９】（ａ）、（ｂ）は表示装置を構成する表示部に表示される一例を示した図である。
【図１０】実施の形態（２）に係る操作制御装置が採用されたＡＶ・ナビゲーションシステムにおける表示装置の外観正面図である。
【図１１】実施の形態（２）に係る操作制御装置が採用されたＡＶ・ナビゲーションシステムにおけるコントロール部の行う処理動作を示したフローチャートである。
【図１２】（ａ）、（ｂ）は表示装置を構成する表示部に表示される一例を示した図である。
【図１３−１】実施の形態（２）に係る操作制御装置が採用されたＡＶ・ナビゲーションシステムにおけるコントロール部の行う処理動作を示したフローチャートである。
【図１３−２】実施の形態（２）に係る操作制御装置が採用されたＡＶ・ナビゲーションシステムにおけるコントロール部の行う処理動作を示したフローチャートである。
【図１３−３】実施の形態（２）に係る操作制御装置が採用されたＡＶ・ナビゲーションシステムにおけるコントロール部の行う処理動作を示したフローチャートである。
【図１４】分離表示を実現する表示装置の構造を模式的に示した図である。
【図１５】（ａ）、（ｂ）は表示装置を構成する表示部に表示される一例を示した図である。
【図１６】（ａ）、（ｂ）は表示装置を構成する表示部に表示される一例を示した図である。
【図１７】表示形態を説明するための説明図である。
【符号の説明】
【０１３４】
１１、１１Ａ  コントロール部
１５、１５Ａ  操作部
１７  描画回路
１８、１８Ａ  表示装置
【図１】
2006195460.tif 000003
【図２】
2006195460.tif 000004
【図３】
2006195460.tif 000005
【図４】
2006195460.tif 000006
【図５】
2006195460.tif 000007
【図６】
2006195460.tif 000008
【図７】
2006195460.tif 000009
【図８−１】
2006195460.tif 000010
【図８−２】
2006195460.tif 000011
【図８−３】
2006195460.tif 000012
【図８−４】
2006195460.tif 000013
【図９】
2006195460.tif 000014
【図１０】
2006195460.tif 000015
【図１１】
2006195460.tif 000016
【図１２】
2006195460.tif 000017
【図１３−１】
2006195460.tif 000018
【図１３−２】
2006195460.tif 000019
【図１３−３】
2006195460.tif 000020
【図１４】
2006195460.tif 000021
【図１５】
2006195460.tif 000022
【図１６】
2006195460.tif 000023
【図１７】
2006195460.tif 000024